(57)【要約】【課題】蓋体を飾り台に於ける屏風として利用できると共に、蓋体を簡単に且つ安定的に立設支持でき、構成部品点数を減らせ、構成がより簡素となって、比較的コンパクトに構成でき、手軽で、取扱い易く、外観上の体裁も良く、量産に適し、経済的な節句人形の収納箱兼用飾り台を提供する。【解決手段】節句人形の収納箱として利用できると共に、節句人形を載置する飾り台としても利用できる収納箱兼用飾り台であって、上部を開口した箱本体Ａと、箱本体Ａの上部開口部分を施蓋可能な蓋体Ｂとからなり、箱本体Ａの底部の後端縁寄りに、左右側端縁に跨る差込溝Ａ１を凹設し、差込溝Ａ１に蓋体Ｂの所定の端縁部分を差込み装着自在に形成すると共に、蓋体Ｂを屏風状に立設支持可能に形成し、箱本体Ａの底板下面を飾り台に於ける人形載置面とし、蓋体Ｂの天板上面を飾り台に於ける屏風表面となるよう構成する。【選択図】図２
0003140672.tif 000002
【実用新案登録請求の範囲】
【請求項１】
三月節句人形や五月節句人形やその他の人形を収納する収納箱として利用できると共に、これらの人形を載置する飾り台としても利用できるように形成した節句人形の収納箱兼用飾り台であって、上部が開口されている箱本体と、この箱本体の上部開口部分を施蓋可能な蓋体とからなり、箱本体の底部の後端縁寄りに、左右側端縁に跨るような差込溝を凹設し、この差込溝に蓋体の所定の端縁部分が差込み装着自在となるよう形成すると共に、蓋体を屏風状に立設支持可能となるよう形成し、箱本体の底板下面が飾り台に於ける人形載置面となり、蓋体の天板上面が飾り台に於ける屏風表面となるように構成したことを特徴とする節句人形の収納箱兼用飾り台。
【請求項２】
前記蓋体の天板上面に適宜表面図柄を施したことを特徴とする請求項１記載の節句人形の収納箱兼用飾り台。
【考案の詳細な説明】
【技術分野】
【０００１】
本考案は、主に、三月節句人形や五月節句人形やその他の人形を収納する収納箱として利用できると共に、これらの人形を載置する飾り台としても利用できるように形成した節句人形の収納箱兼用飾り台に係り、特に、構成が簡素で、比較的コンパクトに構成でき、手軽で、取扱い易く、外観上の体裁が良く、量産に適し、経済的となるように工夫した節句人形の収納箱兼用飾り台に関するものである。
【背景技術】
【０００２】
従来、この種の節句人形の収納箱兼用飾り台としては、例えば、特許文献１に示すような雛人形等の載置台兼用収納箱が提案されている。これは、箱本体と蓋体とからなる箱体内に雛人形や道具や幕板や屏風等を収納できるように形成し、載置台として使用する際には、これらを取出して箱体にセットするように構成されている。
【０００３】
【特許文献１】実用新案登録第３０１３８５０号公報
【考案の開示】
【考案が解決しようとする課題】
【０００４】
しかしながら、前述の如き雛人形等の載置台兼用収納箱にあっては、収納するものが多くなり、箱体自体が大きく形成されるため、手軽に取扱い難い難点や、価格が高くなってしまう難点等があった。
【０００５】
そこで、本考案は、前述の如き難点等を解消でき、構成が簡素で、比較的コンパクトに構成でき、手軽で、取扱い易く、外観上の体裁も良く、量産に適し、経済的となる節句人形の収納箱兼用飾り台を提供できるようにすべく案出されたものである。
【課題を解決するための手段】
【０００６】
しかして、前述の如き課題等を達成すべく、請求項１記載の節句人形の収納箱兼用飾り台にあっては、三月節句人形や五月節句人形やその他の人形を収納する収納箱として利用できると共に、これらの人形を載置する飾り台としても利用できるように形成した節句人形の収納箱兼用飾り台であって、上部が開口されている箱本体Ａと、この箱本体Ａの上部開口部分を施蓋可能な蓋体Ｂとからなり、箱本体Ａの底部の後端縁寄りに、左右側端縁に跨るような差込溝Ａ１を凹設し、この差込溝Ａ１に蓋体Ｂの所定の端縁部分が差込み装着自在となるよう形成すると共に、蓋体Ｂを屏風状に立設支持可能となるよう形成し、箱本体Ａの底板下面が飾り台に於ける人形載置面となり、蓋体Ｂの天板上面が飾り台に於ける屏風表面となるように構成する手段を採用した。
【０００７】
また、請求項２記載の節句人形の収納箱兼用飾り台にあっては、前記蓋体Ｂの天板上面に適宜表面図柄Ｂ１を施す手段を採用した。
【考案の効果】
【０００８】
従って、本考案の請求項１記載の節句人形の収納箱兼用飾り台によれば、収納箱の蓋体Ｂを、飾り台に於ける屏風として利用できるようになり、構成部品点数を減らすことができ、構成がより簡素となって、比較的コンパクトに構成できるようになる。しかも、手軽で、取扱い易く、外観上の体裁も良いものとなる。加えて、量産に適し、経済的な節句人形の収納箱兼用飾り台を提供できるようになる。
【０００９】
特に、箱本体Ａの底部の後端縁寄りに、左右側端縁に跨るような差込溝Ａ１を凹設し、この差込溝Ａ１に蓋体Ｂの所定の端縁部分が差込み装着自在となるよう形成すると共に、蓋体Ｂを屏風状に立設支持可能となるよう形成したので、蓋体Ｂを簡単に且つ安定的に立設支持できるようになる。
【００１０】
また、本考案の請求項２記載の節句人形の収納箱兼用飾り台によれば、蓋体Ｂの天板上面に施した適宜表面図柄Ｂ１を、屏風の表面の図柄としても利用できるようになり、無駄がなく、外観上の体裁もより良いものとなる。
【考案を実施するための最良の形態】
【００１１】
以下、本考案を図示例に基づいて説明すると、次の通りである。
本考案は、例えば、三月節句人形や五月節句人形やその他の人形を収納・保管する際の収納箱として利用できると共に、これらの人形を飾り付けるべく載置する飾り台としても利用できるように形成した節句人形の収納箱兼用飾り台である。
そして、この節句人形の収納箱兼用飾り台は、上部が開口されている略矩形容器状の箱本体Ａと、この箱本体Ａの上部開口部分を施蓋可能な略矩形蓋状の蓋体Ｂとからなるものである。
更に、箱本体Ａの底部の後端縁寄りには、左右側端縁に跨るような差込溝Ａ１を凹設してあり、この差込溝Ａ１には、蓋体Ｂの所定の端縁部分が差込み装着自在となるように形成してある。しかも、蓋体Ｂは屏風状に立設支持可能となるように形成されている。
すなわち、箱本体Ａの底板下面が飾り台に於ける人形載置面となり、蓋体Ｂの天板上面が飾り台に於ける屏風表面となるように構成したものである。
また、蓋体Ｂの天板上面には、適宜表面図柄Ｂ１を施して構成されている。
【実施例】
【００１２】
前記箱本体Ａは、例えば、比較的厚みのある矩形状の底板と、この底板の周縁部分に連設されると共に、隣接する相互の端縁部分が連設される四枚の略矩形状の側壁板とで構成されており、その内部が収納部となって節句人形等を収納できるように形成されている。更に、底板の後端縁寄り下面（及び左右側壁板の後端縁寄り下縁部分）には、底板の左右側端縁（及び左右側壁板）に跨るような略矩形長溝状の溝差込溝Ａ１が凹設されている。
【００１３】
尚、箱本体Ａは、適宜木製でその表面には適宜塗装が施されるようになっているが、適宜合成樹脂材や適宜複合材等で構成しても良い。
【００１４】
前記蓋体Ｂは、例えば、矩形状の天板と、この天板の周縁部分に連設されると共に、隣接する相互の端縁部分が連設される四枚の略細長矩形状の側壁板とで構成されている。
しかも、蓋体Ｂは、天板が箱本体Ａの上部開口部分を塞ぐと共に、その側壁板が箱本体Ａの側壁板の外がわに配置されるように形成されている。
【００１５】
尚、蓋体Ｂは、適宜木製でその表面には適宜塗装が施されるようになっているが、適宜合成樹脂材や適宜複合材等で構成しても良い。
【００１６】
更に、蓋体Ｂの天板の上面には、適宜図柄で表現される表面図柄Ｂ１が施されており、より豪華な雰囲気が醸し出せるように構成してある。尚、表面図柄Ｂ１は、収納される（飾られる）節句人形に対応した図柄が採用されることとなる。
【００１７】
ところで、節句人形の収納箱兼用飾り台の具体的構成、形状、寸法、材質、箱本体Ａの具体的構成、形状、寸法、材質、差込溝Ａ１の具体的構成、形状、寸法、配設位置、蓋体Ｂの具体的構成、形状、寸法、材質、表面図柄Ｂ１の具体的構成、寸法等は図示例のもの等に限定されることなく適宜自由に設定、変更できるものである。
【００１８】
本考案の節句人形の収納箱兼用飾り台は、前述の如く構成されており、次にその使用例について説明すると、節句を祝うときは、収納箱から節句人形等を取出し、その底板下面が上になるように箱本体Ａを置き、この箱本体Ａの差込溝Ａ１に蓋体Ｂの所定の端縁部分（例えば、前端縁部分）を差込んで、天板上面が正面を向くように蓋体Ｂを立設支持させる。
そして、箱本体Ａの底板の上に節句人形を並べて飾る。尚、このとき、箱本体Ａの底板の上に予め毛氈等を敷いておくようにしても良い。
また、節句人形を仕舞うときは、箱本体Ａの収納部に節句人形等を収納すると共に、蓋体Ｂで開口部を塞いで保管しておく。
【図面の簡単な説明】
【００１９】
【図１】本考案の節句人形の収納箱兼用飾り台を例示する一部切欠分解斜視図である。
【図２】本考案の節句人形の収納箱兼用飾り台を例示する斜視図である。
【符号の説明】
【００２０】
Ａ      箱本体
Ａ１    差込溝
Ｂ      蓋体
Ｂ１    表面図柄
【図１】
0003140672.tif 000003
【図２】
0003140672.tif 000004